(57)【特許請求の範囲】
【請求項１】
インクを用い且つ両面印刷機能を持つ画像形成装置であって、
芯金をゴム層で覆ってなり、レジストセンサを有する駆動ローラと、該駆動ローラを加圧する従動ローラと、からなり、給紙部から作像部へ記録紙を搬送するレジストローラと、
該レジストローラに対して記録紙搬送方向下流側であって、記録ヘッドに対して記録紙搬送方向上流側に搬送ローラと、を有し、
両面印刷を行う場合、片面印刷された記録紙の先端を前記搬送ローラにかんだ状態で、前記レジストローラに挟まれる所定範囲の印刷状態を検出し、
該検出結果に基づいて、前記搬送ローラにかんだ状態で待機するように搬送制御する通常搬送モードと、記録紙の先端が前記レジストローラにかんだ状態で待機するように搬送制御する搬送変更モードと、を切り換える制御手段を備えることを特徴とする画像形成装置。
【請求項２】
請求項１に記載の画像形成装置において、
前記制御手段は、前記印刷状態として片面印刷された記録紙のインクの塗布量を検出することを特徴とする画像形成装置。
【請求項３】
請求項１に記載の画像形成装置において、
前記制御手段は、前記印刷状態として片面印刷された記録紙の湿度を検出することを特徴とする画像形成装置。
【請求項４】
請求項１に記載の画像形成装置において、
前記制御手段は、前記印刷状態として片面印刷された記録紙の含水量を検出することを特徴とする画像形成装置。
【請求項５】
請求項１乃至４のいずれかに記載の画像形成装置において、
前記制御手段は、前記印刷状態を印刷される画像データを基に推定することを特徴とする画像形成装置。
【請求項６】
請求項１乃至５いずれかに記載の画像形成装置において、前記駆動ローラの端部をテーパー形状としたことを特徴とする画像形成装置。
【請求項７】
インクを用い且つ両面印刷機能を持つ画像形成装置における記録紙の搬送制御方法であって、
前記画像形成装置は、芯金をゴム層で覆ってなり、レジストセンサを有する駆動ローラと、該駆動ローラを加圧する従動ローラと、からなり、給紙部から作像部へ記録紙を搬送するレジストローラと、
該レジストローラに対して記録紙搬送方向下流側であって、記録ヘッドに対して記録紙搬送方向上流側に搬送ローラと、を有し、
両面印刷を行う場合、片面印刷された記録紙の先端を前記搬送ローラにかんだ状態で、前記レジストローラに挟まれる所定範囲の印刷状態を検出し、
該検出結果に基づいて、前記搬送ローラにかんだ状態で待機するように搬送制御する通常搬送モードと、記録紙の先端が前記レジストローラにかんだ状態で待機するように搬送制御する搬送変更モードと、を切り換えることを特徴とする記録紙の搬送制御方法。
【請求項８】
コンピュータに、請求項１乃至６のいずれかに記載の画像形成装置の機能を実現させるためのプログラム。
【請求項９】
コンピュータが読み取り可能な記録媒体であって、請求項８に記載のプログラムを記録したことを特徴とする記録媒体。
【発明の詳細な説明】
【技術分野】
【０００１】
本発明は、画像形成装置、記録紙の搬送制御方法、並びに、プログラムおよび記録媒体に関し、特に、インクジェット方式で画像形成するときの記録紙の搬送制御に関する。
【背景技術】
【０００２】
シリアルプリンタとして昨今ではインクジェット記録方式のプリンタや画像形成装置が普及している。このインクジェット記録装置においては、インクで記録することから定着工程がなく、インク自体の乾燥によっていわば定着するようになっている。そのため、一般には、記録紙の片面にのみ記録し、両面記録は行われていなかった。そこで、省資源の要求や見開きで画像を印刷したい場合には、片面の記録が終了した後、排出された記録シートを表裏反対にして再度給紙して両面記録を行なうことが行われていた。
【０００３】
しかし、両面記録を行う際に、片面に画像形成された記録紙を再度給紙して画像が形成されていない側の面に画像形成させるために、ユーザが操作する必要があり、能率やコストの問題が生じていた。
【０００４】
このような問題を解決するために、特許文献１の発明は、記録媒体の表面側に記録手段を用いて記録を行い、記録媒体下端を搬送方向先端として搬送手段へ再び導いて、記録媒体の裏面側の記録開始位置へセットしたのち、搬送手段を逆転して記録媒体上端を搬送方向先端として記録媒体を搬送し、記録データを記録手段に送って裏面側の記録を行うように構成されている。
【特許文献１】特開平７−３２３６３７号公報
【発明の開示】
【発明が解決しようとする課題】
【０００５】
しかしながら、インクが塗布されると用紙は水分（インク）を含むことになり、この状態でローラ間に挟まれたまま長時間放置しておくと、用紙がカールしたり、波打ったりという状態になる。
インクジェット方式では、印字ヘッドとの間が１〜２ｍｍという狭い隙間を用紙が搬送されるため、このように用紙が変形したまま搬送して画像を形成しようとすると、用紙が記録ヘッドに当たって擦れてしまい、用紙の搬送性能、印刷品質及び装置全体の品質に大きく影響することになる。
【０００６】
本発明は、上述した実情を考慮してなされたものであって、インクジェット方式で両面印刷を行うときに、変形させることなく記録紙を搬送する画像形成装置、記録紙の搬送制御方法、並びに、画像形成装置の機能や記録紙の搬送制御方法をコンピュータに実現させるためのプログラムおよびそのプログラムを記録するコンピュータ読み取り可能な記録媒体を提供することを目的とする。
【課題を解決するための手段】
【０００７】
上述の課題を解決するために、請求項１に記載の発明は、インクを用い且つ両面印刷機能を持つ画像形成装置であって、芯金をゴム層で覆ってなり、レジストセンサを有する駆動ローラと、該駆動ローラを加圧する従動ローラと、からなり、給紙部から作像部へ記録紙を搬送するレジストローラと、該レジストローラに対して記録紙搬送方向下流側であって、記録ヘッドに対して記録紙搬送方向上流側に搬送ローラと、を有し、両面印刷を行う場合、片面印刷された記録紙の先端を前記搬送ローラにかんだ状態で、前記レジストローラに挟まれる所定範囲の印刷状態を検出し、該検出結果に基づいて、前記搬送ローラにかんだ状態で待機するように搬送制御する通常搬送モードと、記録紙の先端が前記レジストローラにかんだ状態で待機するように搬送制御する搬送変更モードと、を切り換える制御手段を備えることを特徴とする画像形成装置である。
【０００９】
請求項２に記載の発明は、請求項１に記載の画像形成装置において、前記制御手段は、前記印刷状態として片面印刷された記録紙のインクの塗布量を検出することを特徴とする画像形成装置である。
【００１０】
請求項３に記載の発明は、請求項１に記載の画像形成装置において、前記制御手段は、前記印刷状態として片面印刷された記録紙の湿度を検出することを特徴とする画像形成装置である。
【００１１】
請求項４に記載の発明は、請求項１に記載の画像形成装置において、前記制御手段は、前記印刷状態として片面印刷された記録紙の含水量を検出することを特徴とする画像形成装置である。
【００１２】
請求項５に記載の発明は、請求項１乃至４のいずれかに記載の画像形成装置において、前記各検出手段は、印刷される画像データを基に推定することを特徴とする画像形成装置である。
【００２０】
請求項６に記載の発明は、請求項１乃至５のいずれかに記載の画像形成装置において、前記駆動ローラの端部をテーパー形状としたことを特徴とする画像形成装置である。
【００２１】
請求項７に記載の発明は、インクを用い且つ両面印刷機能を持つ画像形成装置における記録紙の搬送制御方法であって、前記画像形成装置は、芯金をゴム層で覆ってなり、レジストセンサを有する駆動ローラと、該駆動ローラを加圧する従動ローラと、からなり、給紙部から作像部へ記録紙を搬送するレジストローラと、該レジストローラに対して記録紙搬送方向下流側であって、記録ヘッドに対して記録紙搬送方向上流側に搬送ローラと、を有し、両面印刷を行う場合、片面印刷された記録紙の先端を前記搬送ローラにかんだ状態で、前記レジストローラに挟まれる所定範囲の印刷状態を検出し、該検出結果に基づいて、前記搬送ローラにかんだ状態で待機するように搬送制御する通常搬送モードと、記録紙の先端が前記レジストローラにかんだ状態で待機するように搬送制御する搬送変更モードと、を切り換えることを特徴とする記録紙の搬送制御方法である。
【００２２】
請求項８に記載の発明は、コンピュータに、請求項１乃至６のいずれかに記載の画像形成装置の機能を実現させるためのプログラムである。
請求項９に記載の発明は、コンピュータが読み取り可能な記録媒体であって、請求項８に記載のプログラムを記録したことを特徴とする記録媒体である。
【発明の効果】
【００２３】
本発明によれば、インクジェット方式の画像形成装置において両面印刷する場合、記録紙をレジストローラに挟み込んだ状態で長時間待機することを防止できるので、記録紙に大きな変形を与えることがなくなり、異常画像やジャムの防止が可能となる。
【発明を実施するための最良の形態】
【００２４】
以下、図面を参照して本発明の好適な実施形態について説明する。
図１は、本発明の実施形態に係るインクジェット方式の画像形成装置の概略構成図である。図１において、画像形成装置１は、画像読取部２、作像部３、給紙部４、両面搬送部５、搬送部６および排紙部７から基本的に構成されている。
【００２５】
画像読取部２は、コンタクトガラス２０上に載置された原稿を圧板２１で押さえて読み取る方式のもので、コンタクトガラス２０の下方には、光源２２、第１ミラー２３、第２ミラー２４、第３ミラー２５、結像レンズ２６及びＣＣＤなどの撮像素子２７を備え、光源２２と第１ミラー２３は第１走行体２８に、第２ミラー２４と第３ミラーは第２走行体２９にそれぞれ搭載され、第１走行体２８と第２走行体２９は２対１の速度で副走査方向に移動する公知のものである。
【００２６】
作像部３は、インクジェットヘッドとして記録ヘッド３０と図示しない画像処理回路とからなり、画像読取部２で読み取った画像データ、あるいは図示しない通信制御部からネットワークを介してコンピュータから、あるいはローカルのプリンタとして機能するために接続されたコンピュータから転送されてきた画像データを画像処理回路で出力するためのデータに変換し、あるいは所定の処理を行って記録ヘッド３０の駆動回路に出力する。
【００２７】
記録ヘッド３０は、キャリッジ３２に搭載され、シリアルヘッドとして機能し、駆動回路からの指示に従って副走査方向の所定ドッド単位で主走査方向に走査して印字する。一走査（所定ドット数幅）印字すると、記録紙は副走査方向に送られ、記録ヘッド３０が主走査方向に走査して印字するという動作を繰り返す。そして、最終行まで印字すると、次の記録紙の供給を受けて最初の行から同じ動作を繰り返す。
【００２８】
主走査方向の走査は、キャリッジガイド３１に案内されて主走査方向（記録紙搬送方向と直交する方向）に移動可能なキャリッジ３２上に、液滴吐出ヘッドからなる複数の色の液滴を吐出する複数の記録ヘッド３０を主走査方向に並べて配置（ノズル列は副走査方向）し、あるいは、複数の色の液滴を吐出する複数のノズル列を有する１または複数の記録ヘッドを配置して搭載し、キャリッジ３２を主走査方向に移動させながら画像形成を行う。
【００２９】
複数の記録ヘッド３０は、それぞれブラック（Ｂｋ）インク、シアン（Ｃ）インク、マゼンタ（Ｍ）インク、イエロー（Ｙ）インクを吐出する色ごとに用意された４個のヘッドからなり、図示しないインクカートリッジからそれぞれ各色のインクが供給される。
【００３０】
給紙部４は、給紙トレイ４０、ピックアップコロ（本体給紙コロ）４１、摩擦パッド４２およびレジストローラ４３からなる。ピックアップコロ４１は、給紙トレイ４０内に積層された状態で収納されている記録紙４４の最上位の記録紙面に当接して、記録紙４４を給紙トレイ４０から引き出し、摩擦パッド４２によって１枚ずつに分離してレジストローラ４３に送り出す。
これらのピックアップコロ４１やレジストローラ４３は後述する制御回路（図２）からわかるように給紙モータによって駆動され、それぞれ電磁クラッチにより駆動力の伝達のオン・オフが制御される。
【００３１】
搬送部６は、給紙部４から作像部３へ、作像部３から排紙部７あるいは両面搬送部５へ、両面搬送部５から作像部３へ記録紙４４を搬送する。
レジストローラ４３の記録紙搬送方向下流側であって、記録ヘッド３０を挟んで上流側には搬送ローラ５８ａが、下流側には搬送ローラ５８ｂがそれぞれ設けられ、さらに、両者間に搬送ベルト５８ｃが張架され、メインモータで駆動される。
【００３２】
両面搬送部５は、両面入口ローラ５１の下流側に記録紙搬送方向に沿って両面搬送ローラ５３ａ，５３ｂ，５３ｃ，５３ｄ，５３ｅが配置され、これらのローラは、両面モータによって駆動されて、片面に画像が形成された記録紙４４を第２の分岐板７４で両面入口ローラ５１から両面搬送路５２を経由して第１の両面待機部５３に搬送される。
また、第２の両面待機部５５には反転ローラ５５ａ，５５ｂが配置され、第１の両面待機部５３側から搬送されてきた記録紙４４をスイッチバックさせて、第１の分岐板５４を切り替えて少なくとも両面出口ローラ５６まで、反転モータによって駆動されて搬送される。
【００３３】
排紙部７は、第２の搬送ローラ５８ｂの下流側に搬送ローラ５８ｄ，５８ｅ，５８ｆが設けられ、さらに、排紙搬送路７０には、搬送ローラ７１及び排紙ローラ７２が設けられ、両面搬送路５２の第２の分岐板７４のすぐ下流には両面入口ローラ５１が設けられ、これらの搬送ローラは排紙モータによって駆動される。印刷が完了すると排紙トレイ７３へ排紙される。
【００３４】
図２は、本実施形態に係る画像形成装置の制御部を示すブロック図である。図２において、制御部１００は、この画像形成装置全体を制御するＣＰＵ１０１と、ＣＰＵ１０１が実行するプログラム、その他の固定データを格納するＲＯＭ１０２と、画像データ（印刷データ）等を一時格納するとともにＣＰＵ１０１のワークエリアとしても機能するＲＡＭ１０３と、装置の電源が遮断されている間もデータを保持するための不揮発性メモリ（ＮＶＲＡＭ）１０４と、画像データに対する各種信号処理、並び替え等を行う画像処理やその他装置全体を制御するための入出力信号を処理するＡＳＩＣ１０５と、画像読取部２による画像の読み取りおよび読み取った画像のデータ処理などを行うスキャナ制御部１０６を備えている。
【００３５】
また、この制御部１００は、外部装置からデータを受信する場合に使用するデータおよび信号の送受を行うための外部Ｉ／Ｆ１０７と、作像部３の記録ヘッド３０を駆動制御するためのヘッド駆動制御部１０８およびヘッドドライバ１０９を備え、駆動源として５つのモータ、給紙モータ１１１，メインモータ１１２，排紙モータ１１３，両面モータ１１４，反転モータ１１５および各モータをそれぞれ駆動するためのモータドライバを含むモータ駆動部１１６，１１７，１１８，１１９，１２０を備えている。
【００３６】
また、給紙クラッチ１２１、分岐ソレノイド１２２および反転ソレノイド１２３並びにこれらの駆動部１２４を備え、各駆動部１０８，１１６〜１２０とともにバスを介してＣＰＵ１０１によって制御される。
さらに、この制御部１００は、各種センサ（例えば、インクの塗布量、含水量、湿度等を検出するセンサや、記録紙の印刷や搬送に係る各種センサ）の検知信号を取り込むためのＩ／Ｏ１２５を備え、また、この装置に必要な情報の入力および表示を行うための操作パネル１２６が接続されている。
【００３７】
制御部１００は、画像読取部２によって原稿画像を読み取った場合には、読取画像を処理してスキャナ制御部１０６内のバッファに格納する。また、外部Ｉ／Ｆ１０７を介してパーソナルコンピュータ等の情報処理装置、イメージスキャナなどの画像読取装置、デジタルカメラなどの撮像装置などの外部ホスト側から印刷データ等を受信した場合には外部Ｉ／Ｆ１０７に含まれる受信バッファ内に格納する。
【００３８】
ＣＰＵ１０１は、スキャナ制御部１０６あるいは外部Ｉ／Ｆ１０７から画像データを読み出して解析し、ＡＳＩＣ１０５で必要な画像処理、データの並び替え処理等を行ってヘッド駆動制御部１０８に印刷画像データを転送する。なお、外部からのデータに基づいて画像出力するためのドットパターンデータの生成は、例えばＲＯＭ１０２にフォントデータを格納して行っても良いし、外部ホスト側のプリンタドライバで画像データをビットマップデータに展開してこの画像形成装置に転送するようにしても良い。
【００３９】
なお、後述の制御はＲＯＭ１０２に格納されたプログラムにしたがって実行されるが、このプログラムのプログラムデータは、例えば外部Ｉ／Ｆ１０７を介して図示しないサーバから転送され、あるいは図示しないＣＤ−ＲＯＭやＳＤカードなどの記録媒体から記録媒体駆動装置を介して転送され、図示しないハードディスク装置などにダウンロードしたりバージョンアップして使用することも可能である。
【００４０】
ヘッド駆動制御部１０８は、各記録ヘッド３０の１行分に相当する画像データ（ドットパターンデータ）を受け取ると、この１行分のドットパターンデータをヘッドドライバ１０９に転送し、ヘッドドライバ１０９はドットパターンデータに基づいて記録ヘッド３０の１ライン分のアクチュエータ手段に対して選択的に所要の駆動波形を印加させて駆動する。
これにより、各記録ヘッド３０の対応したノズルから液滴が吐出され、印字が行われる。その際、記録紙４４を副走査搬送部によって１行分ずつ、あるいはヘッドの副走査方向のドット数に対応した行数分搬送して停止させ、記録ヘッド３０から液滴を吐出させることによって、記録紙４４上に１行あるいはドット数に対応した行数分の印字が１主走査方向の走査によって印字される。
【００４１】
＜実施形態１＞
上述したような、インクジェット方式の画像形成装置において、両面印刷した場合、片面印刷した後、もう片方の面を印刷する前に、インクの補充、記録ヘッドの掃除や印刷するための画像データが揃わないため、搬送ローラ５８ａにかんだ状態で記録紙４４が待機するときがある。さらに、画像処理の影響、先行の用紙の印字状況等で変化し、待機時間が長時間に及ぶ場合もある。
このように、記録紙４４が搬送ローラ５８ａにかんだ状態の時には、搬送ローラ５８ａの近くにあるレジストローラ４３にも挟み込まれた状態となっている。
【００４２】
このレジストローラ４３は、図３に示したような構造をしており、ゴム層で芯金を覆われた駆動ローラと、当該駆動ローラに圧接する従動ローラとを有している。ここで、駆動ローラの芯金を覆うゴム層は、全域にわたって芯金を覆うのではなく、駆動ローラ軸長手方向中央部周辺を切り欠いてレジストセンサのアクチエータを配置している。軸受を介して本体に取り付けられた駆動ローラ側には、電磁クラッチを介してＳＰモータから駆動力が伝えられるようになっている。
一方、従動ローラも両端を加圧軸受で支持されているが、その支持は固定的ではなく、バネによって従動ローラを駆動ローラ方向にスライドして駆動ローラを加圧可能なようになっている（図４参照）。
【００４３】
しかし、片面印刷がなされると記録紙４４は水分（インク）を含み、レジストローラ４３に挟まれた状態で放置すると、記録紙４４は変形してカールしたり、波打ったりした状態になってしまう。
【００４４】
このようなことを防ぐためには、記録紙４４をレジストローラ４３に挟み込んだ状態に置かない、あるいは、両面搬送路５０、第１の両面待機部５３、第２の両面待機部５５におけばよい。しかし、両面搬送路５０、第１の両面待機部５３、第２の両面待機部５５では、作像部３に遠いため、出力の生産性が上がらない。したがって、記録紙４４の先端を作像部３に出来るだけ近い位置、即ち、レジストローラ４３の搬送方向の上流側で待機させる構成をとることによって、出力の生産性を上げることができる。
【００４５】
以下、上述したように、記録紙４４をレジストローラ４３の搬送方向上流側で待機するための制御方法について説明する。
【００４６】
図５は、本実施形態１における搬送モードを変更する処理手順を示すフローチャートである。
ユーザからホストコンピュータや、操作部から両面印刷が指定されたかを判断し、両面印刷が指示されていないときには（ステップＳ１１／ＮＯ）、通常搬送モードを設定する（ステップＳ１４）。
また、両面印刷がユーザに指定された場合（ステップＳ１１／ＹＥＳ）、記録紙が薄紙でなければ（ステップＳ１２／ＮＯ）、通常搬送モードを設定する（ステップＳ１４）。ここで、記録紙の薄さは、予め紙の種類とその厚さとの対応表を記憶させておき、ユーザがコンピュータや操作部で指定した、紙の種類に基づいて対応表から厚さを取得し、所定の閾値を使って判断する。
また、記録紙の厚さを判断するのは、厚紙であれば両面印刷が指定されても、レジストローラ４３に挟まった状態であっても、記録紙４４が変形することが少ないと考えるからである。
【００４７】
一方、記録紙が薄紙であれば（ステップＳ１２／ＹＥＳ）、搬送変更モードを設定する（ステップＳ１３）。
【００４８】
ここで、通常搬送モードが設定されると、両面印刷が指定されていても、片面印刷された記録紙４４は、もう片方の面を印刷するときにも、搬送ローラ５８ａにかんだ状態で待機するように搬送制御される。
一方、搬送変更モードが設定されると、記録紙４４が薄紙であれば、片面印刷した状態でレジストローラ４３に長時間挟まれると、記録紙４４が変形してしまうので、もう片方の面を印刷するときには、記録紙４４の先端がレジストローラ４３にかんだ状態で待機するように搬送制御される。
【００４９】
しかし、記録紙４４が薄紙であっても、インクの塗布量が少なければ、水分（インク）の量が少なく、レジストローラ４３に挟まれても変形しない場合がある。この場合には、通常の搬送制御をすればよい。
【００５０】
図６は、本実施形態１における搬送モードを、インクの塗布量を判断して変更する処理手順を示すフローチャートである。
ユーザからホストコンピュータや、操作部から両面印刷が指定されたかを判断し、両面印刷が指示されていないときには（ステップＳ２１／ＮＯ）、通常搬送モードを設定する（ステップＳ２６）。
また、両面印刷がユーザに指定された場合（ステップＳ２１／ＹＥＳ）、記録紙が薄紙でなければ（ステップＳ２２／ＮＯ）、通常搬送モードを設定する（ステップＳ２６）。
この記録紙の厚さの判断は、上記と同様にして判断する。
【００５１】
一方、記録紙が薄紙であれば（ステップＳ２２／ＹＥＳ）、インク塗布量を検出し（ステップＳ２３）、塗布量が少なければ（ステップＳ２４／ＮＯ）、通常搬送モードを設定する（ステップＳ２６）。
また、インク塗布量が多ければ（ステップＳ２４／ＹＥＳ）、搬送変更モードを設定する（ステップＳ２５）。
【００５２】
このインクの塗布量は、印刷する画像データに基づいて吐出する液滴の総量から推計する。あるいは、記録ヘッド３０から吐出した液滴量を計測して、インクの塗布量としてもよい。また、インクの塗布量の多いか少ないかは、予め設定した所定の値を基準として判断する。
【００５３】
図７は、本実施形態１における搬送モードを、含水量を判断して変更する処理手順を示すフローチャートである。図７では、図６のインクの塗布量の代わりに、記録紙４４に含まれる含水量を基準に搬送モードを設定する点が相違しているのみである。
この含水量は、印刷する画像データに基づいて吐出する液滴の総量から推計された水の量を用いる。あるいは、含水量センサを用いて、直接印刷された記録紙の含水量を検出してもよい。また、含水量の多いか少ないかは、予め設定した所定の値を基準として判断する。
【００５４】
図８は、本実施形態１における搬送モードを、記録紙の湿度を判断して変更する処理手順を示すフローチャートである。図８では、図６のインクの塗布量の代わりに、印刷によって生じた記録紙４４に含まれる湿度を基準に搬送モードを設定する点が相違しているのみである。
この湿度は、印刷する画像データに基づいて吐出する液滴の総量から推計された水の量から湿度を用いる。あるいは、湿度センサを用いて、直接印刷された記録紙の湿度を検出してもよい。また、湿度が高いか低いかは、予め設定した所定の値（例えば、７０％ＲＨ）を基準として判断する。
【００５５】
上記の説明では、両面印刷および薄紙への印刷指示があった場合にのみ、種々の検出結果（インク塗布量、含水量、湿度）を参照して、通常搬送モードと搬送変更モードとを切り替えるようにしていた。しかし、両面印刷の指示があった時に、紙種を判定することなく、種々の検出結果（インク塗布量、含水量、湿度）によって通常搬送モードと搬送変更モードとを切り替えるようにしてもよい。
さらに、種々の検出結果（紙種、インク塗布量、含水量、湿度）を任意に組み合わせて、組み合わせの検出結果が所定の条件を満足するか否かによって、通常搬送モードと搬送変更モードとを切り替えるようにしてもよい。
【００５６】
これまでの説明では、片面印刷し、記録紙４４の先端が搬送ローラ５８ａにかんだ状態となり、レジストローラ４３に挟まれた範囲が印刷されていなかった場合には、あえて記録紙４４の先端をレジストローラ４３にかんだ状態で待機させる必要はない。
これは、レジストローラ４３に挟まれても記録紙４４が変形しない程度の印刷状態のときにも、同様なことが言える。
【００５７】
そこで、記録紙４４の先端が搬送ローラ５８ａにかんだ状態となり、レジストローラ４３に挟まれる範囲の印刷の状態を検出して、その検出結果が所定の条件を満たすか否かによって、通常搬送モードと搬送変更モードとを切り替えるようにしてもよい。
例えば、搬送ローラ５８ａとレジストローラ４３間の距離を１２０ｍｍとすると、レジストローラ４３に挟まれる範囲（以下、検出範囲という）は１００ｍｍ〜１４０ｍｍとなる。ここで、検出範囲の幅は、レジストローラ４３ごとに予め設定された値である。
よって、この検出範囲（１００ｍｍ〜１４０ｍｍ）についてのみ上述した種々の検出結果（紙種、インク塗布量、含水量、湿度）を基にモードを変更する。
【００５８】
例えば、図６（インク塗布量）の場合には、ステップＳ２３の「インク塗布量の検出」において、上記の検出範囲内のインク塗布量を画像データから推定し、あるいは、インク塗布量センサで検出し、この検出したインク塗布量が所定値より大きければ、搬送変更モードに設定し、さもなければ、通常搬送モードに設定する。
他の図７（含水量）、図８（湿度）の場合についても同様に、検出範囲内の含水量や湿度を検出して、搬送変更モードあるいは通常搬送モードを設定する。
【００５９】
したがって、種々の検出結果（紙種、インク塗布量、含水量、湿度）を得る範囲を限定できるので、検出時間が短縮され、生産性（コピーや印刷の速度）が向上する。
【００６０】
＜実施形態２＞（参考例）
上記の実施形態１では、両面印刷するときに、片面印刷後にレジストローラ４３に挟まれる記録紙４４の部分が変形するか否かで、搬送モードを変更するようにした。
しかし、レジストローラ４３に挟まれる記録紙４４の部分が変形しない程度の水分量にすれば、搬送モードを変更する必要がなくなる。
本実施形態２では、両面印刷において、レジストローラ４ ３ によって片面印刷された記録紙４４が変形しない程度の水分量になるように、インクの吐出量の総量規制を行うようにした。ここで、総量規制とは、インクの吐出量を一律にカットすることを言う。
これにより、実施形態１のように紙種、インクの塗布量、含水量、湿度などを検出することが無くなり、装置のコストダウンが図れ、インク量を規制するため、レジストローラ内で記録紙が長時間待機しても変形が起きず品質が向上する。
【００６１】
また、実施形態１のように紙種、インクの塗布量、含水量、湿度等を検出すれば、総量規制すべき対象の選択が正確となり、総量規制による画像品質の低下が防げる。
図９は、本実施形態２におけるインク塗布量の総量規制を行う処理手順を示すフローチャートである。
ユーザからホストコンピュータや、操作部から両面印刷が指定されたかを判断し、両面印刷が指示されていないときには（ステップＳ５１／ＮＯ）、インクの塗布量の総量規制を行わないように設定する（ステップＳ５５）。
【００６２】
また、両面印刷がユーザに指定された場合（ステップＳ５１／ＹＥＳ）、インク塗布量を検出し（ステップＳ５２）、塗布量が少なければ（ステップＳ５３／ＮＯ）、インクの塗布量の総量規制を行わないように設定する（ステップＳ５５）。このインクの塗布量は、印刷する画像データに基づいて吐出する液滴の総量から推計する。また、インクの塗布量の多いか少ないかは、予め設定した所定の値を基準として判断する。
また、インク塗布量が多ければ（ステップＳ５３／ＹＥＳ）、インクの塗布量の総量規制を行うように設定する（ステップＳ５４）。
【００６３】
上記のように、インク塗布量の総量規制を行わないように設定された場合、印刷制御では通常のインク量で印刷が行われ、両面目の印刷は搬送ローラ５８ａにて待機することになる（通常搬送モード）。
一方、インク塗布量の総量規制を行うように設定された場合、印刷制御では通常のインク量に対して、例えば、８０％にカットして印刷が行われ、両面目の印刷は搬送ローラ５８ａにて待機することになる（通常搬送モード）。
【００６４】
さらに、片面印刷後の記録紙４４の先端部が搬送ローラ５８ａにかんだ状態で待機するとき（通常搬送モード）には、レジストローラ４３に挟まれる部分（実施形態１で説明した検出範囲）にのみインク量の総量規制をしてもよい。
この場合には、ステップＳ５２の「インク塗布量の検出」は、上記の検出範囲の画像データからインクの塗布量を推定する。
【００６５】
また、同様に、紙種、含水量や湿度を検出して、インクの総量規制をするか否かを設定することができる。また、種々の検出結果（紙種、塗布量、含水量、湿度）を任意に組み合わせて、組み合わせの検出結果が所定の条件を満足するか否かによって、インクの総量規制をするか否かを設定することができる。
【００６６】
また、上記の説明では、記録紙へ記録したときの水分量が可変でも、総量規制の規制値を一定としていた。これを、記録した後で変形しない程度の水分量になるように、インクの吐出量の総量規制を行うようにしてもよい（総量規制値の可変）。
【００６７】
以上のように、総量規制して印刷しても、水分量が減らずレジストローラ４３で待機するときに変形が起こることもある。この場合には、総量規制したインク量が所定の条件を満足しないときには、総量規制せずに搬送変更モードに置き換えるようにする。
図１０は、本実施形態２におけるインク量の総量規制と搬送モードの変更を設定する処理手順を示すフローチャートである。
【００６８】
ユーザからホストコンピュータや、操作部から両面印刷が指定されたかを判断し、両面印刷が指示されていないときには（ステップＳ６０／ＮＯ）、インクの塗布量の総量規制を行わないように設定するとともに（ステップＳ６９）、通常搬送モードを設定する（ステップＳ６８）。
【００６９】
また、両面印刷がユーザに指定された場合（ステップＳ６０／ＹＥＳ）、インク塗布量を検出し（ステップＳ６１）、塗布量が少なければ（ステップＳ６２／ＮＯ）、インクの塗布量の総量規制を行わないように設定するとともに（ステップＳ６９）、通常搬送モードを設定する（ステップＳ６８）。このインクの塗布量は、印刷する画像データに基づいて吐出する液滴の総量から推計する。また、インクの塗布量の多いか少ないかは、予め設定した所定の値を基準として判断する。さらに、このインク塗布量の検出を、レジストローラ４３に挟まれる範囲に限って行うようにしてもよい。
【００７０】
また、インク塗布量が多ければ（ステップＳ６２／ＹＥＳ）、インクの塗布量に総量規制を行った場合のインク塗布量を算出する（ステップＳ６３）。この総量規制を行ったときのインクの塗布量は、総量規制しないときのインクの塗布量に、総量規制値（例えば、８０％）を乗じた値とする。
【００７１】
総量規制を行ったときのインク塗布量が少ないときには（ステップＳ６４／ＮＯ）、インクの塗布量の総量規制を行うように設定するとともに（ステップＳ６７）、通常搬送モードを設定する（ステップＳ６８）。
一方、総量規制を行ったときのインク塗布量が多いときには（ステップＳ６４／ＹＥＳ）、インクの塗布量の総量規制を行わないように設定するとともに（ステップＳ６５）、搬送変更モードを設定する（ステップＳ６６）。
【００７２】
また、紙種、含水量や湿度の個々の検出値についても同様に処理することができる。また、これらの紙種、インクの塗布量、含水量や湿度の任意の組み合わせについても同様に処理することができる。
【００７３】
ところで、本発明で使用する搬送装置は、搬送ローラとレジストローラとが独立して駆動することにより搬送されるようになっている。また、この２つのローラの回転は、同期し且つ間欠した駆動を行うため、各ローラの送り量にズレが生じるとループができたり、逆に引っ張り合ったりする問題が起きる。
【００７４】
このような状態のレジストローラで、水分量が多い記録紙が挟み込まれると、ゴム層が切り欠いた状態となった駆動ローラの端部で、折り目がついてしまうことがある。
下記の表は、この端部の形状と紙種とで折り目がつくか否かを表したものである。
この表を見ると、厚紙全面（１００％）に印字した場合でも、どのような端部の形状でも折り目が目立たない。しかし、薄紙全体に印字した場合や８０％の印字であった場合には、駆動ローラの端部の形状が角またはｃ０.５の場合（図１１（Ａ））には、この端部がエッジとなり薄紙の記録紙に折り目がついてしまう。
しかし、この駆動ローラの端部が図１１（Ｂ）や（Ｃ）のように、滑らかな形状であれば、端部がエッジとならないため薄紙の記録紙でも折り目が目立たないようになる。
【００７５】
【表１】
0004664174.tif 000002
【００７６】
したがって、本発明で使用するレジストローラの切り欠き部の端部をテーパー形状とすれば、薄紙であっても折り目が目立たないようにできる。
また、このようなレジストローラを使って、記録紙を上記のような搬送制御をすることにより、搬送時のしわ、膨らみ等が防止でき、画像品質が向上する。
【００７７】
本発明は、上述した実施形態のみに限定されたものではない。上述した実施形態を構成する各機能をそれぞれプログラム化して、予め記録媒体に書き込んでおき、この記録媒体に記録されたこれらのプログラムをメモリあるいは記憶装置に格納し、そのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００７８】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００７９】
【図１】本発明の実施形態に係るインクジェット方式の画像形成装置の概略構成図である。
【図２】実施形態に係る画像形成装置の制御部を示すブロック図である。
【図３】レジストローラの構造を示す図である。
【図４】レジストローラの加圧部の構造を示す図である。
【図５】実施形態１における搬送モードを変更する処理手順を示すフローチャートである。
【図６】実施形態１における搬送モードを、インクの塗布量を判断して変更する処理手順を示すフローチャートである。
【図７】実施形態１における搬送モードを、含水量を判断して変更する処理手順を示すフローチャートである。
【図８】実施形態１における搬送モードを、記録紙の湿度を判断して変更する処理手順を示すフローチャートである。
【図９】実施形態２におけるインク塗布量の総量規制を行う処理手順を示すフローチャートである。
【図１０】実施形態２におけるインク量の総量規制と搬送モードの変更を設定する処理手順を示すフローチャートである。
【図１１】レジストローラの端部の形状と折り目の関係を説明する図である。
【符号の説明】
【００８０】
１…画像形成装置、２…画像読取部、３…作像部、４…給紙部、５…両面搬送部、６…搬送部、７…排紙部、２０…コンタクトガラス、２１…圧板、２２…光源、２３…第１ミラー、２４…第２ミラー、２５…第３ミラー、２６…結像レンズ、２７…撮像素子、２８…第１走行体、２９…第２走行体、３０…記録ヘッド、３１…キャリッジガイド、３２…キャリッジ、４０…給紙トレイ、４１…ピックアップコロ、４２…摩擦パッド、４３…レジストローラ、４４…記録紙、５０，５２，５７…両面搬送路、５１…両面入口ローラ、５３…第１の両面待機部、５３ａ，５３ｂ，５３ｃ，５３ｄ，５３ｅ…両面搬送ローラ、５４…第１の分岐板、５５…第２の両面待機部、５５ａ，５５ｂ…反転ローラ、５６…両面出口ローラ、５８ａ，５８ｂ…搬送ローラ、５８ｃ…搬送ベルト、５８ｄ，５８ｅ，５８ｆ…搬送ローラ対、７０…排紙搬送路、７１…搬送ローラ、７２…排紙ローラ、７３…排紙トレイ、７４…第２の分岐板、１００…制御部、１０１…ＣＰＵ、１０２…ＲＯＭ、１０３…ＲＡＭ、１０５…ＡＳＩＣ、１０６…スキャナ制御部、１０７…外部Ｉ／Ｆ、１０８…ヘッド駆動制御部、１０９…ヘッドドライバ、１１１…給紙モータ、１１２…メインモータ、１１３…排紙モータ、１１４…両面モータ、１１５…反転モータ、１１６，１１７，１１８，１１９，１２０…モータ駆動部、１２１…給紙クラッチ、１２２…分岐ソレノイド、１２３…反転ソレノイド、１２４…クラッチ類駆動部、１２５…Ｉ／Ｏ、１２６…操作パネル。
【図１】
0004664174.tif 000003
【図２】
0004664174.tif 000004
【図３】
0004664174.tif 000005
【図４】
0004664174.tif 000006
【図５】
0004664174.tif 000007
【図６】
0004664174.tif 000008
【図７】
0004664174.tif 000009
【図８】
0004664174.tif 000010
【図９】
0004664174.tif 000011
【図１０】
0004664174.tif 000012
【図１１】
0004664174.tif 000013